(57)【要約】      （修正有）【課題】ヘッド速度が遅いゴルファー用の軽量ツーピースゴルフボールを提供する。【解決手段】コア１２とこのコア１２を包むカバー層１４とを具備するゴルフボール１０において、ゴルフボールの重量は好ましくは約４４．５グラムと約４５グラムの間であり、その径は少なくとも約４．２７ｃｍであり、１００Ｋｇ荷重時の偏差は約３．０ｍｍと約４．０ｍｍの間である。さらに、ゴルフボールの反発係数は好ましくは３０．４８ｍ／ｓのクラブヘッド速度で少なくとも約０．８２から約０．８７である。ゴルフボールは軽量ボールについて最適な軌道および全体距離を実現する空力系を有する。この結果、優れたフィーリングで距離を改善する軽量ゴルフボールが実現される。ゴルフボールは、とくに、低スイング速度のプレイヤの競技特性を最適化するように設計されている。【選択図】図２
2006239435.tif 000002
【特許請求の範囲】
【請求項１】
コアと、
上記コアを包むカバー層とを有し、
上記カバー層は外側表面を有し、
ゴルフボールの最適な軌道と全体距離とを実現する複数のディンプルのパターンを上記外側表面に形成し、
上記ゴルフボールの重量は約４４．５グラムから約４５グラムであり、その径は少なくとも４．２７ｃｍ（１．６８インチ）であり、その反発係数は約３０．４８ｍ／ｓ（１００ｆｔ／ｓ）のクラブヘッド速度で少なくとも約０．８２であることを特徴とするゴルフボール。
【請求項２】
上記ディンプルパターンは、少なくとも３つの異なる径のディンプルを有する請求項１記載のゴルフボール。
【請求項３】
上記ディンプルは上記外側表面の少なくとも８０％をカバーする請求項１記載のゴルフボール。
【請求項４】
上記カバーの外側表面と同心で、同一の径の仮想球に対して、上記ディンプルの端部角度は１４度より大きい請求項１記載のゴルフボール。
【請求項５】
上記外側表面は約２００から約６００のディンプルを画定する請求項１記載のゴルフボール。
【請求項６】
上記複数のディンプルは、ＣＬを揚力係数としＣＤを抗力係数とした場合にＣｍａｇ＝（ＣＬ２＋ＣＤ２）１／２により定義される空体係数の大きさおよびＡｎｇｌｅ＝ｔａｎ−１（ＣＬ／ＤＬ）により定義される空体力角度を有し、
ゴルフボールは外側ランド表面を有し、上記外側ランド表面は、
少なくとも１つの第１の実質的に一定の幅および少なくとも１つの第２の実質的に一定の幅を有し、上記第１の幅および第２の幅がディンプルを分離し、
レイノルズ数が約２３００００でスピンレシオが約０．０８５のときの第１の空力係数の大きさが約０.２４から約０．２７で、第１の空体力角度が約３１度から約３５度であり、
レイノルズ数が約２０７０００でスピンレシオが約０．０９５のときの第２の空体係数の大きさが約０.２５から約０．２８で、第２の空体力角度が約３４度から約３８度である請求項１記載のゴルフボール。
【請求項７】
レイノルズ数が約１８４０００でスピンレシオが約０．１０６のときの第３の空力係数の大きさが約０.２６から約０．２９で、第３の空体力角度が約３５度から約３９度であり、
レイノルズ数が約１６１０００でスピンレシオが約０．１２２のときの第４の空体係数の大きさが約０.２７から約０．３０で、第４の空体力角度が約３７から約４２度である請求項６記載のゴルフボール。
【請求項８】
レイノルズ数が約１３８０００でスピンレシオが約０．１４２のときの第５の空力係数の大きさが約０.２９から約０．３２で、第５の空体力角度が約３９度から約４３度であり、
レイノルズ数が約１１５０００スピンレシオが約０．１７０のときの第５の空体係数の大きさが約０.３２から約０．３５で、第５の空体力角度が約４０度から約４４度である請求項７記載のゴルフボール。
【請求項９】
レイノルズ数が約９２０００でスピンレシオが約０．２１３のときの第７の空力係数の大きさが約０.３６から約０．４０で、第７の空体力角度が約４１度から約４５度であり、
レイノルズ数が約６９０００でスピンレシオが約０．２８４のときの第８の空体係数の大きさが約０.４０から約０．４５で、第８の空体力角度が約４０度から約４４度である請求項８記載のゴルフボール。
【請求項１０】
１００Ｋｇ加重時の偏差が約３．００ｍｍから約４．００ｍｍである請求項１記載のゴルフボール。
【請求項１１】
クラブ速度が約３０．４８ｍ／ｓ（１００ｆｔ／ｓ）のときの反発係数が約０．８３から約０．８７である請求項１記載のゴルフボール。
【請求項１２】
クラブ速度が約３０．４８ｍ／ｓ（１００ｆｔ／ｓ）のときの反発係数が約０．８３から約０．８５である請求項１１記載のゴルフボール。
【請求項１３】
クラブ速度が約３８．１ｍ／ｓ（１２５ｆｔ／ｓ）のときの反発係数が少なくとも約０．８２である請求項１記載のゴルフボール。
【請求項１４】
上記コアの表面のショアＣ材料硬度が約５０および約８０の間である請求項１記載のゴルフボール。
【請求項１５】
上記カバー層の厚さが約２．０３ｍｍ（０．０８インチ）以下である請求項１記載のゴルフボール。
【請求項１６】
上記カバー層は熱可塑性材料から形成される請求項１記載のゴルフボール。
【請求項１７】
上記熱可塑性材料は、部分的にまたは完全に中和されたアイオノマー、熱可塑性ポリウレタン、メタローセン、熱可塑性ウレタン、フサボンド、または他のシングルサイト触媒ポリマーまたはこれらのブレンドからなるグループから選択される請求項１６記載のゴルフボール。
【請求項１８】
上記カバー層は熱硬化性材料から形成される請求項１記載のゴルフボール。
【請求項１９】
上記熱硬化性材料は、芳香族ウレタン、光安定性ウレタン、光安定性ポリ尿素、ポリウレタン−アイオノマーまたはこれらのブレンドからなるグループから選択される請求項１８記載のゴルフボール。
【請求項２０】
上記カバー層のショアＤ材料硬度は約３０および約７５の間である請求項１記載のゴルフボール。
【請求項２１】
上記カバー層のショアＤ材料硬度は約６０未満である請求項１記載のゴルフボール。
【請求項２２】
コアと、
上記コアを包むカバー層とを有し、
上記カバー層は外側表面を有し、
ゴルフボールの最適な軌道と全体距離とを実現する複数のディンプルを上記カバー層の上記外側表面に形成し、
上記ゴルフボールの重量は約４４．５グラムから約４５グラムであり、１００Ｋｇ加重時の偏差が約３．０ｍｍから約４．０ｍｍであり、その径は少なくとも１．６８インチであり、その反発係数は約１００ｆｔ／ｓのクラブヘッド速度で約０．８２から約０．８７であることを特徴とするゴルフボール。
【請求項２３】
上記ディンプルパターンは、少なくとも３つの異なる径のディンプルを有する請求項２２記載のゴルフボール。
【請求項２４】
上記ディンプルは上記外側表面の少なくとも８０％をカバーする請求項２２記載のゴルフボール。
【請求項２５】
上記カバーの外側表面と同心で、同一の径の仮想球に対して、上記ディンプルの端部角度は１４度より大きい請求項１記載のゴルフボール。
【請求項２６】
上記外側表面は約２００から約６００のディンプルを画定する請求項２２記載のゴルフボール。
【請求項２７】
上記複数のディンプルは、ＣＬを揚力係数としＣＤを抗力係数とした場合にＣｍａｇ＝（ＣＬ２＋ＣＤ２）１／２により定義される空体係数の大きさおよびＡｎｇｌｅ＝ｔａｎ−１（ＣＬ／ＤＬ）により定義される空体力角度を有し、
ゴルフボールは外側ランド表面を有し、上記外側ランド表面は、
少なくとも１つの第１の実質的に一定の幅および少なくとも１つの第２の実質的に一定の幅を有し、上記第１の幅および第２の幅がディンプルを分離し、
レイノルズ数が約２３００００でスピンレシオが約０．０８５のときの第１の空力係数の大きさが約０.２４から約０．２７で、第１の空体力角度が約３１度から約３５度であり、
レイノルズ数が約２０７０００でスピンレシオが約０．０９５のときの第２の空体係数の大きさが約０.２５から約０．２８で、第２の空体力角度が約３４度から約３８度である請求項２２記載のゴルフボール。
【請求項２８】
レイノルズ数が約１８４０００でスピンレシオが約０．１０６のときの第３の空力係数の大きさが約０.２６から約０．２９で、第３の空体力角度が約３５度から約３９度であり、
レイノルズ数が約１６１０００でスピンレシオが約０．１２２のときの第４の空体係数の大きさが約０.２７から約０．３０で、第４の空体力角度が約３７度から約４２度である請求項２７記載のゴルフボール。
【請求項２９】
レイノルズ数が約１３８０００でスピンレシオが約０．１４２のときの第５の空力係数の大きさが約０.２９から約０．３２で、第５の空体力角度が約３９度から約４３度であり、
レイノルズ数が約１１５０００スピンレシオが約０．１７０のときの第５の空体係数の大きさが約０.３２から約０．３５で、第５の空体力角度が約４０度から約４４度である請求項２８記載のゴルフボール。
【請求項３０】
レイノルズ数が約９２０００でスピンレシオが約０．２１３のときの第７の空力係数の大きさが約０.３６から約０．４０で、第７の空体力角度が約４１度から約４５度であり、
レイノルズ数が約６９０００でスピンレシオが約０．２８４のときの第８の空体係数の大きさが約０.４０から約０．４５で、第８の空体力角度が約４０度から約４４度である請求項２９記載のゴルフボール。
【請求項３１】
クラブ速度が約３０．４８ｍ／ｓ（１００ｆｔ／ｓ）のときの反発係数が約０．８３から約０．８５である請求項２２記載のゴルフボール。
【請求項３２】
クラブ速度が約３８．１ｍ／ｓ（１２５ｆｔ／ｓ）のときの反発係数が少なくとも約０．８２である請求項２２記載のゴルフボール。
【請求項３３】
上記カバー層のショアＤ材料硬度は約６０未満である請求項２２記載のゴルフボール。
【発明の詳細な説明】
【技術分野】
【０００１】
この発明は、全般的にゴルフボールに関し、とくに、クラブヘッド速度が遅いゴルファー用の軽量ツーピースゴルフボールに関する。
【背景技術】
【０００２】
ゴルフボールがどのように飛行するのかは、多くの要素により決定されるけれども、ゴルファーが制御できる要素は３つしかない。ゴルファーは、ゴルフクラブによってボールを打つことにより、ゴルフボールの速度、打ち出し角度、およびスピンレートを制御する。打ち出し角度は、ゴルフボールの飛行軌跡を設定する。ゴルフボールの速度およびスピンレートは、ボールに揚力を付与し、この揚力が、ゴルフボールの重量および抗力とあいまってボールの全体的な飛行経路を決定する。ゴルフボールが打ち出されたのちに停止する位置は、天候や、ボールが接する着地面に多く左右される。
【０００３】
多くのゴルファーは「低スイング速度」と用ばれることが多い。これは、インパクト時のクラブヘッド速度がプロゴルファーと比較した場合に相対的に遅いことを意味する。典型的には、ゴルフボールをドライバで打ったとき、平均的なプロゴルファーのゴルフボール速度は約２３４ｆｔ／ｓ（１６０ｍｐｈ）である。低スイング速度のプレイヤは２２０ｆｔ／ｓ（１５０ｍｐｈ）未満の速度でボールをドライバで打ち出す。低スイング速度のプレイヤのボール速度は遅い。この結果、低スイング速度のプレイヤのボールは、速度および揚力に欠けているため、あまり遠くへ飛ばない。今日のすべてのゴルファーは、かなりのパーセンテージで、低スイング速度であるので、２１０ヤード（１９２ｍ）未満しかドライバで打ち出せない。
【０００４】
標準的なボールは、一般に９０ｍｐｈ（１４４．８Ｋｍ／ｈ）より速いスイング速度で距離が最適化されている。標準的なボールは４５グラムより重いが、軽量ボールは一般的に４４グラムより軽い。典型的には、軽量ゴルフボールは低スイング速度のゴルファー用に設計されている。これら軽量ゴルフボールは、通常、シングルソリッドコアを固いカバー材料で包んでなるツーピースソリッドボールである。コアの弾力性を増加させて圧縮が大きくなるようにでき、さらにボールを硬くできるのに加え、初速度を増大させ、また、ボールのスピンレートを低減させることができる。これにより、低スイング速度のプレイヤが実現できる距離を最大化する。しかしながら、これらボールは固い感じを伴いがちであり、グリーンでのコントロールが困難である。しかも、これらボールの質量が十分大きくないので目標の顧客に良好な距離を実現しない。
【０００５】
ゴルフボールは一般に複数のディンプルを球表面に含んでいる。通常のディンプルは円形の凹みであり、抗力を減少させ揚力を増大させる。軽量ゴルフボールのディンプルのパッケージは標準重量のゴルフボール用に調整されたものであり、この結果、ボールが高く飛びすぎ、また短距離しか飛ばない。
【０００６】
低スイング速度のプレイヤ用、とくに、９０ｍｐｈ（１４４．８Ｋｍ／ｈ）未満のクラブヘッド速度のプレイヤ用に設計された高性能ゴルフボール、とくに、飛距離を改善させ優れたフィーリングを提供する高性能ゴルフボールが求められている。
【発明の開示】
【０００７】
この発明はコアと、このコアを包むカバー層とを有するゴルフボールに向けられている。そして、このゴルフボールの重量は約４４．５グラムから約４５グラムであり、その径は少なくとも１．６８インチ（４．２７ｃｍ）であり、その反発係数は約１００ｆｔ／ｓ（３０．４８ｍ／ｓ）のクラブヘッド速度で少なくとも約０．８２である。このゴルフボールは、最適な軌道と全体距離とを実現する複数のディンプルのパターンを有する。
【０００８】
１つの好ましい実施例では、ディンプルパターンは、少なくとも３つの異なる径のディンプルを有する。ディンプルは好ましくは外側表面の少なくとも８０％をカバーする。ディンプルの端部角度は、好ましくは、カバーの外側表面と同心で、同一の径の仮想球に対して、１４度より大きい。
【０００９】
この発明の１側面によれば、外側表面は約２００から約６００のディンプルを画定する。
【００１０】
この発明の他の側面によれば、複数のディンプルは、ＣＬを揚力係数としＣＤを抗力係数とした場合にＣｍａｇ＝（ＣＬ２＋ＣＤ２）１／２により定義される空体係数の大きさおよびＡｎｇｌｅ＝ｔａｎ−１（ＣＬ／ＤＬ）により定義される空体力角度を有する。さらに、ゴルフボールは外側ランド表面を有し、この外側ランド表面は、少なくとも１つの第１の実質的に一定の幅および少なくとも１つの第２の実質的に一定の幅を有し、第１の幅および第２の幅がディンプルを分離する。さらに、ゴルフボールは、レイノルズ数が約２３００００でスピンレシオが約０．０８５のときの第１の空力係数の大きさが約０.２４から約０．２７で、第１の空体力角度が約３１度から約３５度であり、レイノルズ数が約２０７０００でスピンレシオが約０．０９５のときの第２の空体係数の大きさが約０.２５から約０．２８で、第２の空体力角度が約３４度から約３８度である。
【００１１】
この発明の他の側面によれば、ゴルフブールは、レイノルズ数が約１８４０００でスピンレシオが約０．１０６のときの第３の空力係数の大きさが約０.２６から約０．２９で、第３の空体力角度が約３５度から約３９度であり、レイノルズ数が約１６１０００でスピンレシオが約０．１２２のときの第４の空体係数の大きさが約０.２７から約０．３０で、第４の空体力角度が約３７から約４２度である。
【００１２】
この発明のさらに他の側面によれば、ゴルフブールは、レイノルズ数が約１３８０００でスピンレシオが約０．１４２のときの第５の空力係数の大きさが約０.２９から約０．３２で、第５の空体力角度が約３９度から約４３度であり、レイノルズ数が約１１５０００スピンレシオが約０．１７０のときの第５の空体係数の大きさが約０.３２から約０．３５で、第５の空体力角度が約４０度から約４４度である。
【００１３】
この発明のさらに他の側面によれば、ゴルフブールは、レイノルズ数が約９２０００でスピンレシオが約０．２１３のときの第７の空力係数の大きさが約０.３６から約０．４０で、第７の空体力角度が約４１度から約４５度であり、レイノルズ数が約６９０００でスピンレシオが約０．２８４のときの第８の空体係数の大きさが約０.４０から約０．４５で、第８の空体力角度が約４０度から約４４度である。
【００１４】
この発明の他の側面によれば、ゴルフブールは、好ましくは、１００Ｋｇ加重時の偏差が約３．００ｍｍから約４．００ｍｍである。
【００１５】
この発明の他の側面によれば、ゴルフブールは、好ましくは、クラブ速度が約１００ｆｔ／ｓ（３０．４８ｍ／ｓ）のときの反発係数が約０．８３から約０．８７であり、より好ましくは、クラブ速度が約１００ｆｔ／ｓｅｃ（３０．４８ｍ／ｓ）のときの反発係数が約０．８３から約０．８５である。
【００１６】
この発明の他の側面によれば、ゴルフブールは、クラブ速度が約１２５ｆｔ／ｓ（３８．１ｍ／ｓ）のときの反発係数が少なくとも約０．８２である。
【００１７】
好ましくは、コアの表面のショアＣ材料硬度が約５０および約８０の間である。
【００１８】
カバー層の厚さは好ましくは約０．０８インチ（２．０３ｍｍ）以下である。
【００１９】
１実施例では、カバー層は熱可塑性材料から形成されてよく、熱可塑性材料は、部分的にまたは完全に中和されたアイオノマー、熱可塑性ポリウレタン、メタローセン、熱可塑性ウレタン、フサボンド（ｆｕｓａｂｏｎｄ）、または他のシングルサイト触媒ポリマーまたはこれらのブレンドからなるグループから選択されてよい。
【００２０】
さらに他の実施例では、カバー層は熱硬化性材料から形成されてよく、熱硬化性材料は、芳香族ウレタン、光安定性ウレタン、光安定性ポリ尿素、ポリウレタン−アイオノマーまたはこれらのブレンドからなるグループから選択されてよい。
【００２１】
カバー層のショアＤ材料硬度は約３０および約７５の間であってよい。他の実施例では、カバー層のショアＤ材料硬度は約６０未満であってよい。
【００２２】
この発明は、また、コアと、このコアを包むカバー層とを有するゴルフボールに向けられている。そして、このゴルフボールの重量は約４４．５グラムから約４５グラムであり、１００Ｋｇ加重時の偏差が約３．０ｍｍから約４．０ｍｍであり、その径は少なくとも１．６８インチ（４．２７ｃｍ）であり、その反発係数は約１００ｆｔ／ｓ（３０．４８ｍ／ｓ）のクラブヘッド速度で約０．８２から約０．８７である。このゴルフボールは、カバー層の外側表面に、最適な軌道と全体距離とを実現する複数のディンプルのパターンを有する。
【発明を実施するための最良の形態】
【００２３】
ゴルフボールが衝突時に飛行する距離はボールの反発係数（ＣｏＲ。Ｃｏｅｆｆｉｃｉｅｎｔ  Ｏｆ  Ｒｅｓｔｉｔｕｔｉｏｎ）および空力特性に依存する。ＣｏＲは２つの物体の直接衝突のまえの当該２つの物体の間の相対速度に対する衝突後の相対速度の比である。ＣｏＲは０から１．０までの値をとる。１．０のＣｏＲ値は完全弾性衝突相当し、ゼロのＣｏＲ値は完全な非弾性衝突に相当する。ゴルフボールに関しては、ＣｏＲは衝突後のゴルフボールの速度の、衝突前のゴルフボールの速度に対する比により近似されてきた。
【００２４】
ＣｏＲは、ボールと大きな物質との間の衝突に関する重要な尺度である。ＣｏＲを測定する従来の１手法では、ゴルフボールまたはゴルフボール部品、空気砲および静止垂直鋼板を用いる。鋼板は約１００ポンドすなわち約４５ｋｇの重量の衝突面を形成する。一対の弾道光スクリーンがボールの速度を図るために、空気砲および鋼板の間に離間して配置される。ボールは空気砲から鋼板に向かってテスト速度である５０ｆｔ／ｓ（１５．２ｍ／ｓ）から１８０ｆｔ／ｓ（５４．９ｍ／ｓ）にわたる範囲を越えて発射される。とくにことわらない限り、この出願で示されるＣｏＲデータは１００ｆｔ／ｓ（３０．５ｍ／ｓ）の速度を用いて測定されたものである。ボールが鋼板に向かっている間に、ボールは各光スクリーンを活性化させて各光スクリーンにおける時間が測定される。この測定では、入射時間間隔がボールの入射速度に比例する。ボールは鋼板に衝突して反射して光スクリーンを通り抜けていく。これが光スクリーンの間を進むのに必要な時間間隔を再び測定する。このため、反射時の時間間隔は反射時のボール速度に比例する。ＣｏＲは、反発係数は反射時間間隔の入射時間間隔に対する比として計算できる。
【００２５】
ＣｏＲを測定する他の手法は、チタンディスクを用いる。この手法は米国特許第６６８８９９１号に説明されており、これは本出願人が出願したものである。
【００２６】
ゴルフボールのＣｏＲは、コアの組成やカバーの組成を含む多くのファクタにより影響を受ける。コアは単一層のコアでもよいし、複数層のコアでもよい。コアはソリッドでもよいし、液体充填でもよい。また糸巻でも発泡性でもよいし、フィラーを含んでも良い。カバーは単一層カバーでもよいし、複数層カバーでもよい。カバーは薄くても良いし、厚くても良い。カバーは高硬度または低硬度としてスピンやフィーリングを制御する。カバーは熱可塑性材料でも、熱硬化性材料でも良く、双方でも良い。上述のすべてのファクタはボールのＣｏＲに影響する。
【００２７】
硬度は、好ましくは、ＡＳＴＭ  Ｄ−２２４０に準拠してボタンまたはスラブの形態でショアＤスケールで測定される。より具体的には、ショアＤスケールはポリマーの窪み硬度を測定する。ショアＤが大きいと、それだけポリマーの硬度が大きいことを示す。ショアＤ材料硬度は、ＡＳＴＭ  Ｄ−２２４０に準拠してボタンまたはスラブの形態で、ボール表面で測定される。
【００２８】
この出願では、比重は、テストＡＳＴＭ  Ｄ−２９７の条件で定義される。
【００２９】
曲げ弾性率（ｆｌｅｘｕｒａｌ  ｍｏｄｕｌｕｓ）はＡＳＴＭ  Ｄ６２７２−０２に従って測定される。これらのテストは、０．５インチ／分のクロスヘッド速度および２インチスパン長を用いて４点偏差モードで実行できる。テストサンプルは２３°Ｃ、５０％ＲＨで２週間で準備され、その後テストが実行される。
【００３０】
偏差は１０Ｋｇ、１００Ｋｇおよび１３０Ｋｇの加重をコアまたはゴルフボールのいずれかに印可して測定される。典型的なテストは１００Ｋｇ加重の下で偏差を測定し、または１３０Ｋｇ加重での偏差から１０Ｋｇ加重での偏差を差し引いたもの（１３０−１０Ｋｇテスト）を測定する。種々の装置、例えば、英国、スレイのＳｔａｂｌｅ  Ｍｉｃｒｏ  Ｓｙｓｔｅｍｓ社製造の圧縮・伸張テスタ、すなわちＭｏｄｅｌ  ＭＴ−ＬＱを用いてよい。クロスヘッド速度は好ましくは２．５ｃｍ／分である。
【００３１】
測定対象のゴルフボールセンタ、ゴルフボールコア、またはゴルフボールにバネ荷重力を印可して、Ａｔｔｉ  Ｅｎｇｉｎｅｅｒｉｎｇ  Ｃｏｍｐａｎｙ製の手動機器（「Ａｔｔｉゲージ」）を用いて、圧縮が測定される。この機器は、Ｆｅｄｅｒａｌ  Ｄｉａｌ  Ｇａｕｇｅ  Ｍｏｄｅｌ  Ｄ８１−Ｃを装備し、既知の荷重の下で較正バネを用いる。検査対象の球はこのバネに対して０．２インチ（５ｍｍ）の距離だけ力を受ける。バネが０．２インチだけ圧縮したら、圧縮は１００と評価され、バネが０．１インチだけ圧縮したら圧縮値はゼロと評価される。より分かりやすく説明すると、柔らかい材料は、硬く縮まりにくい材料より、小さなＡｔｔｉゲージ（測度）を有する。この装置で測定された圧縮はまたＰＧＡ圧縮とも呼ばれる。Ａｔｔｉ圧縮すなわちＰＧＡ圧縮とＲｉｅｈｌｅ圧縮との間のおおよその関係はつぎのように表すことができる。
（Ａｔｔｉ圧縮すなわちＰＧＡ圧縮）＝（１６０−Ｒｉｅｈｌｅ圧縮）
【００３２】
この発明の一側面によれば、大きな径で、薄いカバー層のゴルフボールが、軽量で、すなわち４５．９３グラム未満で、好ましくは約４４．５グラムと４５グラムの間で製造された場合、低速度のクラブで打ったときにボールがより長く飛ぶ。クラブは、より高い飛行軌道でボールを打ち出すことができ、距離が長くなる。軽量ボールに特化したディンプルパターンを提供してもよい。特化したディンプルパターンによりボールの飛行軌道がより硬くなり、その距離がより長くなる。
【００３３】
さらに、ボール全体の偏差が３．０ｍｍから４．０ｍｍの範囲と小さいので、ボールスピンレートが十分に大きくグリーンサイドのプレイが改善される。
【００３４】
したがって、高性能ボール、すなわち、低スイング速度のプレイヤ用に、飛距離が長くグリーンサイドの競技特性にすぐれたものが、以下に説明するように、実現される。
【００３５】
図１および図２において、ゴルフボール１０はコア１２および少なくとも１つのカバー層１４を有し、このカバー層がコアを包む。カバー層１４は好ましくは複数のディンプル１６を有する。
【００３６】
好ましくは、コア１２の外側径は１．５０インチより大きく、その重量は約４４．５グラムと約４５グラムの間であり、このため、径が大きく軽量のゴルフボールが形成される。
【００３７】
さらに、ゴルフボールの１００Ｋｇの偏差は約３．０ｍｍと４．００ｍｍの間であり、その１００ｆｔ／ｓの反発係数（ＣｏＲ）は少なくとも約０．８２であり、ボールの径は少なくとも１．６８インチである。好ましくは、ボールの１００ｆｔ／ｓのＣｏＲは約０．８３と約０．８７の間であり、さらに好ましくは約０．８３と約０．８４の間である。他の実施例では、ボールの１２５ｆｔ／ｓのＣｏＲは少なくとも０．８２である。好ましくはボールの径は約１．６８インチと１．６８５インチの間であり、カバーの厚さは約０．０８インチ以下である。
【００３８】
この発明の一側面によれば、ゴルフボールコアの圧縮が約３０と約９０の間、または、１００Ｋｇの偏差が約３．０から約５．０であるように、ゴルフボールコアは調合される。ゴルフボール１０を形成する代表的なベース組成物は、中から高ムーニ粘度のポリブタジエンゴム（ＰＢＤ）を含む。好ましくは、コアのムーニ粘度は約３５より大きく、より好ましくは、約４０より大きく、さらに好ましくは、約４５より大きく、最も好ましくは、約５０から約５２ムーニである。ＰＢＤの粘度が高ムーニ粘度のＰＢＤが目詰まりその他により製造装置に悪影響を与えるレベルにならない限り、より大きなムーニ粘度のＰＢＤを採用できる。６５ムーニより小さい粘度のＰＢＤをこの発明に使用できると考えられる。「ムーニ」（Ｍｏｏｎｅｙ）単位は生のまたは未加硫のゴムの可塑性を測定する単位である。「ムーニ」単位の可塑性は、任意のスケールで、１００°Ｃの温度でゴムを含み１分２回転で回転する容器中のディスク上で測定されたトルクと等しい。ムーニ粘度の測定はＡＳＴＭ  Ｄ−１６４６に従って定義される。
【００３９】
中から高ムーニ粘度のＰＢＤ材料で製造されたゴルフボールコアの弾力性は増大し、このためボールの硬度を大きくしなくても距離が増大する。適切な中から高ムーニのＰＢＤの商業的なソースは、Ｂａｙｅｒ  ＡＧである。「ＣＢ２３」は約５１のムーニ粘度を有し、高直鎖ポリブタジエンであり、好ましいＰＢＤである。所望の場合には、ポリブタジエンに当分野で知られている他のエラストマー、例えば、天然ゴム、スチレンブタジエン、および／またはイソプレンをポリブタジエンに混合してコアの特性をさらに変質させてもよい。エラストマーの混合物を用いた場合、コア組成物中の他の成分の量は、全エラストマー混合物の重量１００部に基づいたものである。
【００４０】
好ましくは、コアの表面硬度は約４０ＪＩＳ  Ｃと約１００ＪＩＳ  Ｃの間である。より好ましくは、コアの表面硬度は約４５ＪＩＳ  Ｃと約９０ＪＩＳ  Ｃの間である。最も好ましくは、コアの表面硬度は約５０ＪＩＳ  Ｃと約８０ＪＩＳ  Ｃの間である。表面の硬度はコアのセンタ（コアの表面で測定）より少なくとも５ショアＣだけ固い。
【００４１】
この発明の他の側面によれば、コアに硫黄化合物を添加してボールの弾力性およびＣｏＲをさらに増大する。好ましい硫黄化合物は、これに限定されないが、ペンタクロロチオフェノール（ＰＣＴＰ）およびＰＣＴＰの塩である。好ましい塩は、ＺｎＰＣＴＰである。ＰＣＴＰおよびＺｎＰＣＴＰをゴルフボールコアに用いてソフトで速いコアを製造することは米国特許第６６３５７１６号に開示されており、参照してここに組み入れる。適切なＰＣＴＰはＡ９５の商品名でＳｔｒｕｃｔｏｌ社から販売されている。ＺｎＰＣＴＰはＥｃｈｉｎａＣｈｅｍ社から商業的に入手できる。
【００４２】
この発明に使用して好適な金属塩ジアクリレート、ジメタクリレートおよびモノメタクリレートは、金属がマグネシウム、カルシウム、亜鉛、アルミニウム、ナトリウム、リチウムまたはネッケルのものである。亜鉛ジアクリレート（ＺＤＡ）が好ましいが、この発明はこれに限定されない。ＺＤＡはゴルフボールの初速度を大きくする。ＺＤＡは種々のグレードの純度のものでよい。この発明の目的を実現するには、ＺＤＡ中のステアリン酸亜鉛の量が小さいほど、ＤＺＡの純度が大きい。約１０％未満しかステアリン酸亜鉛を含まないＺＤＡが好ましい。より好ましくは、約４−８％しかステアリン酸亜鉛を含まないＺＤＡがよい。適切な、商業的に入手可能な亜鉛次悪リレートは、Ｓａｒｔｏｍｅｒ社からのものである。利用可能なＺＤＡの好ましい濃度は、ポリブタジエン１００ｐｐｈを基準にして、代替的には、ポリブタジエンおよび他のエラストマーの混合物の１００ｐｐｈを基準にして、約１５ｐｐｈから約４０ｐｐｈである。有益なことに、ＰＣＴＰ有機硫黄がコアに離床されるＤＺＡと作用してゴルフボールの初期速度をさらに増大させる。
【００４３】
フリーラジカル開始剤は、金属塩ジアクリレート、ジメタクリレートまたはモノメタクリレートとポリブタジエンの架橋を助長するために用いられる。この発明に用いて適切なフリーラジカル開始剤は、ペルオキシド化合物、例えば、１，１−ジ−（ｔ−ブチルペロキシ）、３，３，５−トリメチルシクロヘキサン、ａ−ａビス（ｔ−ブチルパーオキシ）ジイソプロピルベンゼン、２，５−ジメチル−２，５（ｔ−ブチルパーオキシ）ヘキサンまたはジ−ｔ−ブチルペルオキシドおよびこれらの混合物である。他の有益な開始剤は、当業者には何ら実験を行わなくても容易に理解できる。約７０％から約１００％の活性の開始剤が好ましくは、ブタジエン、またはブタジエンに他の１または複数のエラストマーを混合したもの１００部を基準にして約０．０５ｐｐｈおよび約２．５ｐｐｈの範囲の量だけ付加される。より好ましくは約０．１５ｐｐｈおよび約２ｐｐｈの範囲の量だけ開始剤が付加され、最も好ましくは約０．２５ｐｐｈおよび約１．５ｐｐｈの範囲の量だけ開始剤が付加される。適切な商業的に入手可能なジクミルペルオキシドはＰｅｒｋａｄｏｘ  ＢＣであり、これは９０％より大きな活性のジクミルペルオキシドであり、またＤＣＰ  ７０であり、これは７０％より大きな活性のジクミルペルオキシドである。
【００４４】
上述のように、ＺＤＡ、または、ジアクリレート、ジメタクリレートおよびモノメタクリレートの他の金属塩をコアに用いた場合、好ましくは、約１ｐｐｈから約２０ｐｐｈの酸化亜鉛（または、より少ない量のカルシウム酸化物およびより多い量の過酸化物）をコア組成物に添加して、存在するかもしれない任意のアクリル酸と作用して中和させる。より好ましくは、約１．５ｐｐｈから約１２ｐｐｈの酸化亜鉛を添加し、最も好ましくは、約２ｐｐｈから約８ｐｐｈの酸化亜鉛を添加する。
【００４５】
酸化防止剤を用いてもよい。酸化防止剤は、エラストマーの崩壊を防止する化合物である。この発明に有益な酸化防止剤は、これに限定されないが、キノリンタイプの酸化防止剤、アミノタイプの酸化防止剤、アミンタイプの酸化防止剤およびフェノールタイプの酸化防止剤である。
【００４６】
他の成分、例えば、促進剤、具体的には、テトラメチルチウラム、処理助剤、処理オイル、染料および顔料、さらに他の当業者に周知な添加物を、それらが典型的に用いられる用途を達成するに足る量だけ、この発明に用いてもよい。
【００４７】
好ましくは約１ｐｐｈから約２５ｐｐｈの理具燐度を用いても良い。最も好ましくは約５ｐｐｈから約２０ｐｐｈのリグリンドを用いても良い。
【００４８】
低密度フィラーをコア調合に付加しても良い。好ましくは約１ｐｐｈから約１５ｐｐｈの低密度フィラーを用いて良い。最も好ましくは、約５ｐｐｈから約１０ｐｐｈの低密度フィラーを用いて良い。低密度フィラーを用いてボールの重量を軽量化できる。適切な低密度フィラーは、コア材料、例えばポリブタジエンに一体化可能な空洞球または微小球（ｍｉｃｒｏ  ｓｐｈｅｒｅ）である。
【００４９】
高密度フィラーもコア調合に付加できる。好ましくは約０ｐｐｈから約１５ｐｐｈの高密度フィラーを用いてよい。より好ましくは約３ｐｐｈから約１２ｐｐｈの高密度フィラーを用いてよい。最も好ましくは約５ｐｐｈから約１０ｐｐｈの高密度フィラーを用いてよい。コアの重量に応じて、高密度フィラーをカバーに付加してボールの慣性モーメントを改善しても良い。上述のとおり、ボールの重量が好ましい範囲で、高密度フィラーを用いることができる。慣性モーメントの大きなボールは米国特許第６４９４７９５号において十分に検討され、参照してここに組み入れる。
【００５０】
適切な高密度フィラーは約２から約１９の比重を有してよく、金属粉末（金属合金粉末）、酸化金属、金属シアレート、粒状物、炭質材料、その他、またはこれらのブレンドであってよい。有益な金属粉末（または金属合金粉末）はこれに限定されないが、ビスマス粉末、ホウ素粉末、黄銅粉末、青銅粉末、コバルト粉末、銅粉末、インコネル金属粉末、鉄金属粉末、モリブデン粉末、ニッケル粉末、ステンレス鋼粉末、チタン金属粉末、酸化ジルコン粉末、アルミニウムフレーク、タングステン金属粉末、ベリリウム金属粉末、亜鉛金属粉末または錫金属粉末である。酸化金属の例は、これに限定されないが、酸化亜鉛、酸化鉄、酸化アルミニウム、酸化チタン、酸化マグネシウム、酸化ジルコン、および酸化タングステンである。粒状物炭質材料はこれに限定されないがグラファイトおよびカーボンブラックである。より好ましい高密度フィラーは、約１９の比重を持つので、タングステン、酸化タングステンまたはタングステン金属粉末である。
【００５１】
他の有益なフィラーの例はこれに限定されないがグラファイトファイバ、沈殿水和シリカ、クレイ、タルク、グラスファイバ、アラミドファイバ、マイカ、カルシウムメタシリケート、硫酸バリウム、亜鉛硫化物、シリケート、珪藻土、炭酸カルシウム、炭酸マグネシウム、リグリンド（混合され３０メッシュ粒子サイズに粉砕されたリサイクル未硬化センタ材料）、マンガン粉末、およびマグネシウム粉末である。
【００５２】
この発明の他の側面によれば、カバー層１４の厚さは最小化される。このために、カバー層１４（図２に示すように）の厚さは約０．０８インチ以下である。最も好ましくは、カバー層の厚さは約０．０７インチ以下である。好ましくは、カバー層１４は１層で形成される。ただし、カバー層１４を複数の層で形成しても良いことは明らかである。カバー層を薄くすることにより、コア１２の体積を大きくでき、この結果、より多くの弾力性ポリマーコア材料をコア層に含めることができる。この発明に従うカバー層の好ましい組成物および特性は以下に説明される。
【００５３】
好ましくは、カバー層は熱可塑性材料の単一層からなる。他の実施例では、カバー層は熱効果性材料の単一層からなる。
【００５４】
熱可塑性材料は、例えば、部分的にまたは十分に中和されたアイオノマー、熱可塑性ポリウレタン、メタローセン、熱可塑性ウレタン、フサボンド（ｆｕｓａｂｏｎｄ）、または他のシングルサイト触媒ポリマー、またはこれらのブレンドである。熱硬化性材料は、ポリウレタン、ポリ尿素、芳香族材料、脂肪族材料、またはこれらのブレンドである。それら材料の事例的な好ましい形態は、芳香族ウレタン、光安定性ウレタン、ポリウレタン−アイオノマー、および光安定ポリ尿素である。カバー層は、当業者に周知なように、注型または射出成型により製造できる。ウレタンまたは尿素カバー層が用いられる場合、ボールは好ましくはコア１２およびカバー層１４の間に水蒸気バリア層を具備する。水蒸気バリア層を使用することは米国特許第６６３２１４７号に説明され、参照してここに組み入れる。上述のとおり、アイオノマー例えばＳｕｒｌｙｎをコア１２およびウレタン尿素カバー１４の間に設けて水蒸気バリア層としてもよい。
【００５５】
カバー層が熱可塑性材料から形成される場合、カバー層の曲げ弾性率は、好ましくは、約５００ｐｓｉおよび約８００００ｐｓｉの間である。より好ましくは、曲げ弾性率は約２００００ｐｓｉおよび約８００００ｐｓｉの間であり、最も好ましくは、曲げ弾性率は約２５０００ｐｓｉおよび約７００００ｐｓｉの間である。
【００５６】
カバー層が熱硬化性材料から形成される場合、カバー層の曲げ弾性率は、好ましくは、約５００ｐｓｉおよび約８００００ｐｓｉの間である。より好ましくは、曲げ弾性率は約５００ｐｓｉおよび約４５０００ｐｓｉの間であり、最も好ましくは、曲げ弾性率は約２１００００ｐｓｉおよび約４００００ｐｓｉの間である。
【００５７】
カバー層が熱可塑性材料から形成される場合、カバー層のショアＤ硬度は、好ましくは、約３０および約７５の間である。より好ましくは、ショアＤ硬度は約４０および約７０の間であり、最も好ましくは、ショアＤ硬度は約４５および約６８の間である。
【００５８】
カバー層が熱硬化性材料から形成される場合、カバー層のショアＤ材料硬度は、好ましくは、約３０および約７５の間である。より好ましくは、ショアＤ材料硬度は約３５および約６５の間であり、最も好ましくは、ショアＤ材料硬度は約４０および約６５の間である。
【００５９】
他の実施例では、カバー層のショアＤ材料硬度は約６０未満であり、好ましくは約５５未満である。
【００６０】
コア１２およびカバー層１４は、上述のとおり、当業者に周知な手法で製造される。
【００６１】
図１および図２を参照すると、カバー層１４は好ましくは約２００および約６００の間のディンプル１６を有する。より好ましくは、カバー層１４は、３００および４５０の間のディンプル１６を有する。好ましくは、ディンプルは球形すなわち円形である。任意のディンプルパターンをゴルフボール１０について用いて良い。
【００６２】
この発明の一側面によれば、ボールの他の特性に悪影響を与えることなく、ボールの飛行距離を増分的に調整するために、修正されたディンプルパターンが提供される。この修正されたディンプルパターンは以下に説明され、また、本出願人の出願に係る２００４年１１月１１日出願の米国特許出願第１０／９８０２０３号により詳細に開示されている。この出願については参照してここに組み入れる。
【００６３】
図１に全体的に示すように、ゴルフボール１０は球形表面を有する。この球形表面は、ＵＳＧＡ規則の公式ゴルフボールとして、ゴルフボール１０の１．６８未満の径上の点により定義される。非公式ゴルフボールについては、球形表面は、これに代えて、外側表面によりカバーされる内側球として考えてもよく、これについては米国特許第６２９６１５号特許（「６１５特許」）に記載されるとおりであり、参照してここに組み入れる。「６１５特許」では、球形表面は、立ち上がった管状格子によりカバーされている。球形表面のどちらの概念もこの発明に適用される。
【００６４】
複数のディンプル１６は一般的に１８として示される外側非ディンプル表面すなわちランド表面により分離され、ゴルフボール１０の外側表面上に形成される。図示のとおり、ディンプル１６は円形である。この発明に利用して適切なディンプルは任意形状のディンプルであり、これは三角形、正方形、長方形、五角形、六角形、七角形、八角形、任意の他の多角形、円、半球、楕円、球面または任意の他の形状である。
【００６５】
好ましくは、ディンプル１６はゴルフボール１０のカバーに入り込み凹みである。代替的には、ディンプル１６はゴルフボール１０の球形表面を越えて伸びる立ち上がり突起であってもよい。１つの好ましい実施例では、ゴルフボール１０は、少なくとも３つの異なる直径のディンプル、より好ましくは５つの異なる直径のディンプルを有する。ディンプルは好ましくはゴルフボールの表面の少なくとも８０％をカバーし、全体的な端部角度は１４度より大きい。
【００６６】
ディンプルパターンは、好ましくは、ゴルフボール１０上に全体パターンを形成する識別可能はセクションまたはリージョン中に配置される。好ましくは、ディンプル１６は全体的には２０面体パターン中に配置され、これは２０個の三角形セクションを含む。他の適切なパターンは、四面体、八面体、六面体、十二面体、その他の多面体、または任意の識別可能なディンプルのグルーピングである。
【００６７】
ここでは、「ディンプル間スペース」は、図１に示すように、任意の隣接する２つのディンプル１６の間のランド領域１８の幅を意味する。ディンプル間スペースは円形または他の非多角形構造、例えばスペース２０である。好ましくは、任意の隣接する２つの多角形ディンプルの間のディンプル間スペースは一定である。換言すれば、隣接する多角形ディンプルの辺は実質的に平行でありその間のスペースを一定にする。ディンプル間スペースの集合がランド領域１８を形成する。好ましくはランド領域１８の表面面積は、ゴルフボール１０の球面の全表面面積の約４０％以下である。より好ましくは、ゴルフボール１０の全表面面積の約３０％未満がランド領域である。さらに好ましくは、ゴルフボール１０の全表面面積の約２０％未満がランド領域である。
【００６８】
この発明は、さらに、典型的なゴルフボール軌道の飛行レジームをカバーするスピンレートおよびレノルズ数の範囲で、空体力の大きさおよび方向により定義される空体力学のクライテリアの観点から、説明される。これら空体力学のクライテリアおよび力は以下に説明される。
【００６９】
飛行中のゴルフボールに作用する力は図３に示すように式１により計算される。
【００７０】
Ｆ＝ＦＬ＋ＦＤ＋ＦＧ      （式１）
ここでＦ＝ボールに作用する総合力ベクトル
ＦＬ＝揚力ベクトル
ＦＤ＝抗力ベクトル
ＦＧ＝重力ベクトル
【００７１】
揚力ベクトル（ＦＬ）はスピンベクトルおよび速度ベクトルの外積により決定される方向に作用する。抗力ベクトル（ＦＤ）は速度ベクトルとまさに反対の方向に作用する。式１の揚力および抗力の大きさはそれぞれ式２および式３により計算される。
【００７２】
ＦＬ＝０．５ＣＬρＡＶ２        （式２）
ＦＤ＝０．５ＣＤρＡＶ２        （式３）
ここでρ＝空気密度（ｓｌｕｇｓ／ｆｔ３）
Ａ＝ボールの投影面積（ｆｔ２）（（π／４）Ｄ２）
Ｄ＝ボールの直径（ｆｔ）
Ｖ＝ボール速度（ｆｔ／ｓ）
ＣＬ＝無次元揚力係数
ＣＤ＝無次元抗力係数
【００７３】
揚力および抗力係数は、飛行中のボールに加えられる力を定量化するのに用いられ、空気密度、空気速度、ボール速度およびスピンレートに左右される。これらパラメータのすべての影響は２つの無次元パラメータすなわちスピンレート（ＳＲ）およびレノルズ数（Ｎｒｅ）により把握される。スピンレートは、ボールの回転表面速度をボール速度で割ったものである。レノルズ数は、空気中を移動するボール表面に作用する粘力に対する慣性力の比を定量化する。ＳＲおよびＮｒｅは下記の式４および式５により計算される。
【００７４】
ＳＲ＝ω（Ｄ／２）／Ｄ        （式４）
Ｎｒｅ＝ＤＶρ／μ              （式５）
ここで、ω＝ボール回転レート（ラジアン／ｓ）（２π（ＲＰＳ））
ＲＰＳ＝ボール回転レート（回転／ｓ）
Ｖ＝ボール速度（ｆｔ／ｓ）
Ｄ＝ボール直径（ｆｔ）
ρ＝空気密度（ｓｌｕｇｓ／ｆｔ３）
μ＝空気の絶対粘度（ｌｂ／ｆｔ−ｓ）
【００７５】
所定の範囲のＳＲおよびＮｒｅの範囲に対して揚力係数および抗力係数を決定するのに適した多くの方法があり、これらには、軌道スクリーン（ｂａｌｌｉｓｔｉｃ  ｓｃｒｅｅｎ）技術とともに室内テスト領域を用いることが含まれる。米国特許第５６８２２３０号明細書は一連の軌道スクリーンを用いて揚力および抗力係数を求めることを開示している。米国特許第６１８６００２号明細書および同第６２８５４４５号明細書は室内テスト領域を用いて所定の範囲の速度およびスピンレートの範囲に対して揚力係数および抗力係数を決定する方法を開示している。ここでは、各ショットに関してＣＬおよびＣＤの値がＳＲおよびＮｒｅに関連付けられている。その詳細についてはこれら特許文献を参照されたい。ゴルフボールの空体力学試験に習熟した者は、室内テスト領域を使用してまたは代替的に風洞を用いて容易に揚力係数や抗力係数を決定することができる。
【００７６】
ゴルフボールの空体特性は２つのパラメータにより定量化でき、これらは揚力及び抗力を同時に記述する。すなわち、（１）空体力の大きさ（Ｃｍａｇ）および（２）空体力の向き（Ａｎｇｌｅ）である。ここで、ディンプルパターンおよびディンプルプロフィールを選択して好ましい大きさおよび向きのクライテリアを満たすようにすると飛行性能の改善が図られることが判明した。空体力の大きさおよび角度は揚力係数および抗力係数に関連するので、空体係数の大きさおよび角度が好ましいクライテリアを決定するのに用いられる。空体係数の大きさおよび角度は下記の式６および式７により定義される。
【００７７】
Ｃｍａｇ＝（ＣＬ２＋ＣＤ２）１／２        （式６）
【００７８】
Ａｎｇｌｅ＝ｔａｎ−１（ＣＬ／ＣＤ）      （式７）
【００７９】
ボールの方向性によらず一貫した飛行特性を保証するために、各ＳＲおよびＮｒｅに対するＣｍａｇのパーセント偏差（ｐｅｒｃｅｎｔ  ｄｅｖｉａｔｉｏｎ）が重要な役割を果たす。Ｃｍａｇのパーセント偏差は式８に従って計算される。ここで、任意の２つの配向のＣｍａｇの間の差の絶対値の、これら２つの配向のＣｍａｇの平均値に対する比が１００倍される。
Ｃｍａｇパーセント偏差
＝｜（Ｃｍａｇ１−Ｃｍａｇ２）｜／（（Ｃｍａｇ１＋Ｃｍａｇ２）／２）＊１００    （式８）
ここで、Ｃｍａｇ１＝配向１のＣｍａｇ
Ｃｍａｇ２＝配向２のＣｍａｇ
【００８０】
飛行特性が一貫するように、パーセント偏差は好ましくは約６パーセントまたはそれ未満である。より好ましくは、Ｃｍａｇの偏差は約３パーセントまたはそれ未満である。
【００８１】
空体力学上の非対称性は、典型的にはディンプル配列に固有の分離線または製造プロセスに関連する分離線に由来する。パーセントＣｍａｇ偏差は、好ましくは、分離線平面と直交する回転軸、広く、極平面（ｐｏｌｅｓ  ｈｏｒｉｚｏｎｔａｌ）「ＰＨ」配向として呼ばれるもので測定されるＣｍａｇ値と、ＰＨに直交する配向、広くポール・オーバー・ポール「ＰＰ」配向として呼ばれるもので測定されるＣｍａｇ値とを用いて取得される。空体力学上の最も大きな非対称性は一般にＰＰ配向とＰＨ配向との間で測定される。
【００８２】
以上概略したＣｍａｇのパーセント偏差は、任意の他の２つの配向と同様にＰＨおよびＰＰの配向にも適用される。例えば、浅いディンプルがなる大きな円の特定のディンプルパターンを用いると、異なる配向を測定する必要がある。先の例のシナリオで対称性を測定するために用いる回転軸は、先の大きな円により記述されるこれと一致する平面と直交するであろう。
【００８３】
また、名目（ｎｏｍｉｎａｌ）直径が１．６８で名目重量が１．６２オンスのゴルフボールに対するＣｍａｇおよびＡｎｇｌｅのクライテリアは、任意のサイズおよび重量のゴルフボールに対する同様に最適化したクライテリアを得るための有益な尺度であると考えられる。任意のサイズおよび重量のゴルフボールに対してＣｍａｇおよびＡｎｇｌｅを取得するために、式９および式１０に従って、任意の好ましい空体力学クライテリアを調整できる。
【数１】
2006239435.tif 000003
【００８４】
この発明に従って製造されたゴルフボールは、米国特許第６７２９９７６号（「９７６特許」）において検討されたゴルフボールと類似した特性を有すると考えられる。これについては当該特許文献を参照されたい。表１はこの発明のゴルフボールの空力クライテリアを示しており、ここでは飛距離が増大している。クライテリアは、ＳＲおよびＮＲｅの８つの組み合わせに対する、低、中、高のＣｍａｇおよびＡｎｇｌｅとして規定されている。低い値および高い値の間にあるＣｍａｇおよびＡｎｇｌｅのゴルフボールが好ましい。より好ましくは、この発明のゴルフボールは、表１において低い値および中くらいの値により線引きされた範囲のＣｍａｇおよびＡｎｇｌｅの値を有する。表１において線引きされたＣｍａｇの値は、ＵＳＧＡの寸法および重量の規則に合致するものである。表１の空力クライテリアで用いられるゴルフボールの寸法およびサイズはそれぞれ１．６８インチおよび４４．８グラムである。
【表１】
2006239435.tif 000004
【００８５】
ゴルフボールの他の予測される球力特性は「９７６特許」に詳細に説明されており、適宜これを参照されたい。
【００８６】
この発明について所定の好ましい実施例を参照して説明してきたが、この発明の範囲はこれら実施例に限定されないことに留意されたい。当業者はこれら好ましい実施例の変形例を発見するであろうが、それらはこの発明の趣旨の範囲であり、この範囲は特許請求の範囲に規定されている。
【図面の簡単な説明】
【００８７】
【図１】この発明の第１の実施例の歩流布ボールの斜視図である。
【図２】図１のゴルフボールの断面図である。
【図３】ゴルフボールに作用する力を説明する図である。
【符号の説明】
【００８８】
１０       ゴルフボール
１２       コア
１４       カバー層
１６       ディンプル
１８       ランド領域
２０       スペース
【図１】
2006239435.tif 000005
【図２】
2006239435.tif 000006
【図３】
2006239435.tif 000007
【外国語明細書】
2006239435.tif 000008
2006239435.tif 000009
2006239435.tif 000010
2006239435.tif 000011
2006239435.tif 000012
2006239435.tif 000013
2006239435.tif 000014
2006239435.tif 000015
2006239435.tif 000016
2006239435.tif 000017
2006239435.tif 000018
2006239435.tif 000019
2006239435.tif 000020
2006239435.tif 000021
2006239435.tif 000022
2006239435.tif 000023
2006239435.tif 000024
Ｃｌａｉｍｓ
2006239435.tif 000025
2006239435.tif 000026
2006239435.tif 000027
2006239435.tif 000028
2006239435.tif 000029
2006239435.tif 000030
１．Ａｂｓｔｒａｃｔ
2006239435.tif 000031
２．Ｒｅｐｒｅｓｅｎｔａｔｉｖｅ  Ｄｒａｗｉｎｇ
図１
2006239435.tif 000032
2006239435.tif 000033